(57)【要約】【課題】可動部分を有しない簡略な構造ながら、フェンス下方の溝内を適切に仕切って、確実に溝での獣のフェンス外領域側から道路側への移動を防止できる防獣用閉塞装置を提供する。【解決手段】フェンス５０下部に固定される基礎部１０の矩形開口部に、多数の開放部分のある閉塞体２０を上から通して配設し、閉塞体２０を道路側からフェンス外領域側に向かうほど下がる所定の傾斜状態で溝６１に位置させると、フェンス外領域側から力を受けても閉塞体２０が動いたり変形したりせず、フェンス５０の下方で閉塞体２０による溝６１の閉塞を維持する状態が得られることから、溝６１内でフェンス外領域側から道路側へ進行しようとする獣等の行動に対し、獣等を遮る閉塞体２０が獣等に押されても動かずに溝内位置を維持し、この閉塞体２０位置より先への獣等の進行を阻止できることとなり、溝６１を経由した獣等の道路への侵入を確実に防止できる。【選択図】図２
0003190393.tif 000002
【実用新案登録請求の範囲】
【請求項１】
保護対象領域への当該領域外からの獣や小動物の侵入を阻止するために連設されるフェンスの下方の地面に、前記領域外縁に沿うフェンスと交差する向きに設けられる排水用の溝に配設されて、溝を経由した獣や小動物の前記領域への進行を防止する防獣用閉塞装置において、
前記フェンスが、前記保護対象領域としての道路をフェンス外領域から隔てるものであり、前記溝が、道路側からフェンス外領域側へ水を排水し、フェンス近傍で上部が開放した溝とされ、
中央に矩形開口部を設けた枠状体で形成され、所定の枠辺を前記溝の連続方向と直角をなす向きとして、前記フェンス下部のうち溝上方部分に取り付けられてフェンスより道路側に配設される基礎部と、
少なくとも獣や小動物を通さない大きさの孔部及び／又は切欠き部が複数設けられた、略板状体又は変形しにくい硬質の略網状体で形成され、前記基礎部の開口部に通して前記溝内に上から挿入され、溝内で道路側を上側、フェンス外領域側を下にした傾斜状態で基礎部に支持されて配設される閉塞体とを備え、
当該閉塞体は、基礎部により溝内での位置を保持され、閉塞体外周と溝内壁及び溝底との間隔を、獣や小動物の通り抜けが不可能な大きさとされることを
特徴とする防獣用閉塞装置。
【請求項２】
前記請求項１に記載の防獣用閉塞装置において、
前記基礎部が、前記フェンスに対し斜めに交差するように前記溝が設けられる状況で、溝の連続方向と直角をなす向きとされる前記枠辺のうち、最も前記フェンス外領域側寄りに位置する一部分を、フェンス下部の前記溝上方部分に取り付けられ、
第一の支持用部材と第二の支持用部材とを互いに位置調整可能に連結して形成される調整支持部を備え、
当該調整支持部が、前記第一の支持用部材の端部を枠辺における前記一部分を除く他部分の所定箇所に取り付けられ、且つ前記第二の支持用部材の端部をフェンス下部の前記溝上方部分のうち枠辺の前記一部分を取り付けていない所定箇所に取り付けられることを
特徴とする防獣用閉塞装置。
【請求項３】
前記請求項２に記載の防獣用閉塞装置において、
前記調整支持部が、前記第一の支持用部材と第二の支持用部材とを互いに交差する配置状態で連結して形成され、
調整支持部は、前記枠辺他部分とフェンス下部の溝上方部分とに各端部をそれぞれ取り付けられた状態で、枠辺他部分とフェンス下部の溝上方部分との間の隙間を、前記第一の支持用部材と第二の支持用部材とがそれぞれ横断して、前記隙間における調整支持部以外の各開放部分を、獣や小動物の通り抜けが不可能な大きさにする配置とされることを
特徴とする防獣用閉塞装置。
【考案の詳細な説明】
【技術分野】
【０００１】
本考案は、道路等のフェンスで仕切られる保護対象領域からフェンス外の周囲領域にわたって設けられた排水用等の溝に配設され、獣（タヌキ、キツネ、イノシシなど）、小動物（イヌ、ネコなど）、野鳥（ヤンバルクイナなど）、及び小型家畜（ヒツジ、ヤギなど）の、溝を通っての前記保護対象領域への侵入を防ぐ、防獣用閉塞装置に関する。
【背景技術】
【０００２】
山間部など人里から離れた場所に設けられた道路には、獣が侵入することがあり、こうした道路を車が頻繁に走行する場合、道路上での獣と車の接触、衝突は事故を誘発するなど危険であることから、道路への獣の侵入に対し何らかの予防対策を講じる必要があった。従来は、主にフェンス（柵）を設けて道路とその周囲の領域を隔てて、道路への獣等の侵入を防ぐようにしていた。
【０００３】
一方、こうした道路には、降水に対し水捌けを良くして水が路上に溜まるのを防ぐための排水溝が、道路を横断するように設けられることが多い。このような排水溝は、道路を横断してフェンスの下側を通り、フェンス外の領域に達しており、道路の水を外部に排出できる仕組みである。
【０００４】
このような排水溝は、土や砂等の異物の流入も考慮した上で十分な排水性能を確保するため比較的大きく、溝内のスペースは小型の獣（キツネやタヌキ等）が移動可能な大きさとなっていることが多い。このため、フェンス等で道路をその周囲の領域から隔てたとしても、獣が排水溝を通って道路側に侵入することができ、こうした獣の道路上への出現で、道路を走行する車が危険な状態に陥る場合がある。
【０００５】
こうした排水溝を経由した獣の道路への侵入を防ぐため、近年、排水溝内に一方向開閉式の扉体を設け、水や異物などは道路側から外の領域へ流れるのを許容する一方、獣等の道路側に向けての溝内移動は扉体で阻止し、道路に獣が侵入するのを防ぐものが提案されている。
このような排水溝に設けられる従来の防獣用装置の一例として、特開２００３−２１９７８７号公報や特開２００５−１７５号公報に開示されるものがある。
【先行技術文献】
【特許文献】
【０００６】
【特許文献１】特開２００３−２１９７８７号公報
【特許文献２】特開２００５−１７５号公報
【考案の概要】
【考案が解決しようとする課題】
【０００７】
従来の防獣用装置は、前記特許文献１、２に示されるものとなっており、道路側からの水や小さい異物は、溝内を流れてそのまま扉体の開口部や扉体と溝内面との隙間を通ることで扉体位置を通過し、フェンス外の領域側に達する。また、扉体の道路側の部分に留まるような大きな異物については、こうした異物が扉体位置で留まることによる扉体位置における水の通過抵抗の増加に伴って、扉体に加わる水圧が増し、この扉体に加わる水圧により可動構造である扉体が周囲の領域側に揺動して開放状態となることから、この扉体の開放部分を通じて、大きな異物も周囲の領域側に流出させることができる。その一方、溝内での獣等の道路側への進行に対しては、扉体が道路側へ押す力を受けても揺動せず、開放しないことから、獣等は扉体より先に進めず、道路側への獣等の進行を阻止できる仕組みである。
【０００８】
しかしながら、前記各特許文献に示されるような従来の防獣用装置は、揺動可能な扉体などの可動部分と、これを可動状態で支持する機構部分を有することから、構造が複雑であり、その分コスト高となる、という課題を有していた。
【０００９】
本考案は、前記課題を解消するためになされたもので、可動部分を有しない簡略な構造ながら、フェンス下方の溝内を適切に仕切って、道路側からの水や異物のフェンス外領域側への流出を許容しつつ、確実に溝での獣のフェンス外領域側から道路側への移動を防止できる防獣用閉塞装置を提供することを目的とする。
【課題を解決するための手段】
【００１０】
本考案に係る防獣用閉塞装置は、保護対象領域への当該領域外からの獣や小動物の侵入を阻止するために連設されるフェンスの下方の地面に、前記領域外縁に沿うフェンスと交差する向きに設けられる排水用の溝に配設されて、溝を経由した獣や小動物の前記領域への進行を防止する防獣用閉塞装置において、前記フェンスが、前記保護対象領域としての道路をフェンス外領域から隔てるものであり、前記溝が、道路側からフェンス外領域側へ水を排水し、フェンス近傍で上部が開放した溝とされ、中央に矩形開口部を設けた枠状体で形成され、所定の枠辺を前記溝の連続方向と直角をなす向きとして、前記フェンス下部のうち溝上方部分に取り付けられてフェンスより道路側に配設される基礎部と、少なくとも獣や小動物を通さない大きさの孔部及び／又は切欠き部が複数設けられた、略板状体又は変形しにくい硬質の略網状体で形成され、前記基礎部の開口部に通して前記溝内に上から挿入され、溝内で道路側を上側、フェンス外領域側を下にした傾斜状態で基礎部に支持されて配設される閉塞体とを備え、当該閉塞体は、基礎部により溝内での位置を保持され、閉塞体外周と溝内壁及び溝底との間隔を、獣や小動物の通り抜けが不可能な大きさとされるものである。
【００１１】
このように本考案においては、フェンス下部に固定される基礎部の矩形開口部に、多数の開放部分のある閉塞体を上から通して配設し、閉塞体を道路側からフェンス外領域側に向かうほど下がる所定の傾斜状態で溝に位置させると、フェンス外領域側から力を受けても閉塞体が動いたり変形したりせず、フェンスの下方で閉塞体による溝の閉塞を維持する状態が得られることにより、溝内でフェンス外領域側から道路側へ進行しようとする獣等の行動に対し、獣等を遮る閉塞体が獣等に押されても動かずに溝内位置を維持し、この閉塞体位置より先への獣等の進行を阻止できることとなり、溝を経由した獣等の道路への侵入を確実に防止できる。また、道路側からフェンス外領域側へ向かう水及び異物の流れに対しては、閉塞体が比較的抵抗の少ない開放状態となっており、水や異物をフェンス外の領域側へ無理なく通過させられる。
【００１２】
また、本考案に係る防獣用閉塞装置は、前記基礎部が、前記フェンスに対し斜めに交差するように前記溝が設けられる状況で、溝の連続方向と直角をなす向きとされる前記枠辺のうち、最も前記フェンス外領域側寄りに位置する一部分を、フェンス下部の前記溝上方部分に取り付けられ、第一の支持用部材と第二の支持用部材とを互いに位置調整可能に連結して形成される調整支持部を備え、当該調整支持部が、前記第一の支持用部材の端部を枠辺における前記一部分を除く他部分の所定箇所に取り付けられ、且つ前記第二の支持用部材の端部をフェンス下部の前記溝上方部分のうち枠辺の前記一部分を取り付けていない所定箇所に取り付けられるものである。
【００１３】
このように本考案においては、基礎部をフェンス下部に支持させるにあたり、基礎部枠辺の一部分をフェンス下部の溝上方部分に直接取り付けると共に、フェンス下部から離れている枠辺の他部分を調整支持部を介してフェンス下部の溝上方部分に取り付け、溝の連続方向がフェンスに対し斜め向きとなっている場合においても、基礎部の枠辺を溝の連続方向に直交する向きとすることにより、調整支持部を介してフェンス下部で基礎部を適切に支持しつつ、基礎部に挿入配設される閉塞体を溝内に適切に配置させられ、道路側からフェンス外領域側への水と異物の通過を許容すると共に、溝における獣等の道路側への侵入を確実に防止できる。
【００１４】
また、本考案に係る防獣用閉塞装置は必要に応じて、前記調整支持部が、前記第一の支持用部材と第二の支持用部材とを互いに交差する配置状態で連結して形成され、調整支持部は、前記枠辺他部分とフェンス下部の溝上方部分とに各端部をそれぞれ取り付けられた状態で、枠辺他部分とフェンス下部の溝上方部分との間の隙間を、前記第一の支持用部材と第二の支持用部材とがそれぞれ横断して、前記隙間における調整支持部以外の各開放部分を、獣や小動物の通り抜けが不可能な大きさにする配置とされるものである。
【００１５】
このように本考案においては、調整支持部をなす第一の支持用部材と第二の支持用部材が、互いに交差しつつ基礎部の枠辺とフェンス下部との間の隙間を横断して、枠辺とフェンス下部との間の隙間における調整支持部以外の開放部分を獣等の通過できない程度に小さくする配置とされた状態で、基礎部をフェンス下部に連結することにより、溝の連続方向がフェンスに対し斜めに傾いて、フェンス下部と基礎部枠辺との間に隙間が生じる場合でも、調整支持部の配置でこの隙間における開放部分の大きさを適切に制限でき、この開放部分を通じた獣の道路側への侵入を阻止できることとなる。
【図面の簡単な説明】
【００１６】
【図１】本考案の第１の実施形態に係る防獣用閉塞装置の道路沿いフェンス下方への配設状態説明図である。
【図２】本考案の第１の実施形態に係る防獣用閉塞装置の配設状態における平面図である。
【図３】本考案の第１の実施形態に係る防獣用閉塞装置の配設状態における正面図である。
【図４】本考案の第１の実施形態に係る防獣用閉塞装置の配設状態における側面図である。
【図５】本考案の第１の実施形態に係る防獣用閉塞装置における基礎部の拡大平面図、正面図、及び側面図である。
【図６】本考案の第１の実施形態に係る防獣用閉塞装置における閉塞体の正面図及び側面図である。
【図７】本考案の第２の実施形態に係る防獣用閉塞装置の配設状態における平面図である。
【考案を実施するための形態】
【００１７】
（本考案の第１の実施形態）
以下、本考案の第１の実施形態に係る防獣用閉塞装置を前記図１ないし図６に基づいて説明する。本実施形態においては、道路からフェンス外領域にわたって設けられる排水用溝が、道路に沿って連設されるフェンスに対し直交する場合における閉塞装置の例について説明する。
【００１８】
前記各図において本実施形態に係る防獣用閉塞装置１は、保護対象領域としての道路９０へのこの道路外からの獣や小動物等の侵入を阻止するために連設されるフェンス５０の下方の地面６０に設けられる排水用の溝６１に、一部を溝６１内に突出させて配設され、溝６１での獣等の道路９０側への進行を防止するものである。
【００１９】
具体的には、防獣用閉塞装置１は、中央に矩形開口部１１を設けた枠状体で形成され、所定の枠辺を溝６１の連続方向に直交する向きとして、フェンス５０下部のうち溝６１上方の所定部位に取り付けられてフェンス５０より道路側に配設される基礎部１０と、孔部２１及び切欠き部２２が複数設けられた略網状体で形成され、基礎部１０の開口部１１に通して前記溝６１内に上から挿入されて配設される閉塞体２０とを備える構成である。
前記フェンス５０は、保護対象領域としての道路９０をフェンス外領域８０から隔てるものであり、道路９０の外縁に沿って連設される。
【００２０】
前記溝６１は、連設されるフェンス５０に対し、その下方の地面に、フェンスと直角をなして交差する向きに連続させて設けられ、道路９０側からフェンス外領域８０側へ水を排水するものである。この溝６１は、フェンス５０近傍で上部が開放している。
【００２１】
前記基礎部１０は、中央に矩形開口部１１を設けた金属製の枠状体で形成され、所定の枠辺１２を溝６１の連続方向に直交し、且つフェンス５０と平行に沿う向きとして、フェンス５０下部のうち溝６１上方の所定部位に取り付けられてフェンス５０より道路９０側に配設される構成である。
【００２２】
前記閉塞体２０は、少なくとも獣や小動物を通さない大きさの孔部２１や切欠き部２２が複数設けられた、変形しにくい硬質の略網状体で形成され、基礎部１０の開口部１１に通して溝６１内に上から挿入され、溝６１内で道路側を上側、フェンス外領域８０側を下にした傾斜状態で基礎部１０に支持されて配設される構成である。
【００２３】
この閉塞体２０は、基礎部１０により、閉塞体２０外周と溝６１の内壁及び溝底との間に、獣や小動物の通過可能な大きさの隙間を生じさせない配設状態を維持される。なお、閉塞体２０の端部には、基礎部１０の開口部１１より大きい規制部材２３が取り付けられており、閉塞体２０が開口部１１を通り抜けて基礎部１０から抜け落ちることはない。
【００２４】
次に、本実施形態に係る防獣用閉塞装置の配設及び使用状態について説明する。まず、基礎部１０をフェンス５０下部に取り付ける。連設されるフェンス５０に対し溝６１が直交する向きに連続していることから、溝６１の連続方向に直交する基礎部１０の枠辺１２はフェンス５０と平行とすることができ、フェンス５０下部に枠辺１２全体を密着させて取り付けられる。
【００２５】
基礎部１０をフェンス５０下部に取り付けたら、基礎部１０の開口部１１に、閉塞体２０の下部を差し入れて、閉塞体２０を溝６１内に位置させる。この閉塞体２０は、溝６１内で道路９０側を上側、フェンス外領域８０側を下にした傾斜状態で基礎部１０に支持されることとなる。
【００２６】
閉塞装置を溝６１に配設した使用状態では、道路９０側からの水及び異物の流れに対しては閉塞体２０が孔部２１及び切欠き部２２、さらに閉塞体２０外周部と溝６１内面との隙間を通じて、水や異物を通過させられる、比較的抵抗の少ない状態となっており、水や異物をフェンス外領域８０側へ通過させられる。
一方、フェンス外領域８０側から道路９０側への獣等の移動に対しては、獣等の通過不可能な閉塞体２０が溝内で動かないことで、閉塞体２０位置より先への獣等の進行を阻止して、溝を経由した獣等の道路への侵入を防止できる。
【００２７】
このように、本実施形態に係る防獣用閉塞装置においては、フェンス５０下部に固定される基礎部１０の矩形開口部１１に、多数の開放部分のある閉塞体２０を上から通して配設し、閉塞体２０を道路９０側からフェンス外領域８０側に向かうほど下がる所定の傾斜状態で溝６１に位置させると、フェンス外領域８０から力を受けても閉塞体２０が動いたり変形したりせず、フェンス５０の下方で溝６１の閉塞を維持する状態が得られることから、溝６１内でフェンス外領域８０側から道路９０側へ進行しようとするの獣等の行動に対し、獣等の通過不可能な閉塞体２０が溝内で動かないことで、閉塞体２０位置より先への獣等の進行を阻止でき、溝を経由した獣等の道路９０への侵入を確実に防止できる。また、道路９０側からフェンス外領域８０側へ向かう水及び異物の流れに対しては、閉塞体２０が比較的抵抗の少ない開放状態となっており、水や異物をフェンス外領域８０側へ無理なく通過させられる。
【００２８】
なお、前記実施形態に係る防獣用閉塞装置においては、閉塞体２０を網状体として、獣の通り抜けを阻止する一方で、逆方向へは水を網目部分を介して通せる構成としているが、これに限らず、獣等の通り抜けを許容しない構造であれば、水等を通す孔を穿設された略板状体を用いる構成とすることもできる。また、こうした略板状体と網状体とを組み合わせた複合材を閉塞体としてもかまわない。さらに、閉塞体の材質としては、例えば、金属の他、十分な強度を有するものであれば、繊維強化プラスチックを含む樹脂材も用いることができる。
【００２９】
また、前記実施形態に係る防獣用閉塞装置において、基礎部１０は、その枠辺１２部分をフェンス５０下部に直接取り付けて配設される構成としているが、この他、基礎部１０とフェンス５０下部との間に所定の連結用部材を介在させる構成とすることもでき、フェンス５０下部と溝６１との位置関係により適切に対応させて基礎部１０を配置でき、溝６１内の適正な位置に確実に閉塞体２０を配設することができる。
【００３０】
（本考案の第２の実施形態）
本考案の第２の実施形態に係る防獣用閉塞装置を前記図７に基づいて説明する。本実施形態においては、道路からフェンス外領域にわたって設けられる排水用溝が、道路に沿って連設されるフェンスに対し直交せず斜めに交差している場合における閉塞装置の例について説明する。
【００３１】
前記各図において本実施形態に係る防獣用閉塞装置２は、前記第１の実施形態同様、基礎部１０と、閉塞体２０とを備え、異なる点として、前記基礎部１０が、フェンス５０と斜めに交差して溝６１が設けられる状況におけるフェンス５０に対し、溝６１の連続方向に直交する向きとされる基礎部１０の枠辺１２のうち、最もフェンス外領域８０側に位置する一部分を、フェンス５０下部の溝６１上方部分に取り付けられ、加えて、基礎部１０の枠辺１２とフェンス５０下部との間に配設されて基礎部１０の一部を支持する調整支持部３０を備える構成を有するものである。なお、前記閉塞体２０は、前記第１の実施形態と同様の構成を有するものであり、詳細な説明を省略する。
【００３２】
基礎部１０は、前記第１の実施形態同様、中央に矩形開口部１１を設けた金属製の枠状体で形成され、所定の枠辺１２を溝６１の連続方向に直交する向きとして、フェンス５０より道路９０側に配設されるものである。ただし、異なる点として、連続する溝６１とフェンス５０が斜めに交差していることに伴い、基礎部１０の枠辺１２のうち最もフェンス外領域８０側に位置する一部分のみがフェンス５０下部に直接取り付けられる。この基礎部１０の一部分の直接取り付けと共に、さらに調整支持部３０を併用することで、基礎部１０を確実に支持できるようにしている。
【００３３】
前記調整支持部３０は、矩形略板状の第一の支持用部材３１及び第二の支持用部材３２とを互いに位置調整可能に連結して、具体的には、第一の支持用部材３１及び第二の支持用部材３２とを互いに揺動可能に枢着して、第一の支持用部材３１と第二の支持用部材３２とを互いに交差する配置状態として形成される構成である。
【００３４】
この調整支持部３０における第一の支持用部材３１を、基礎部枠辺１２における前記一部分を除く他部分所定箇所に取り付け、第二の略板状部材３２を、フェンス５０下部の溝６１上方部分のうち基礎部枠辺１２の前記一部分を取り付けていない所定箇所に取り付けることで、枠辺１２の前記他部分所定箇所をフェンス５０下部に連結された状態としている。
【００３５】
この調整支持部３０は、第一の支持用部材３１と第二の支持用部材３２の枢着部分を中心として一方を他方に対し揺動（傾動）させて支持部全体の広がりの大きさを変化させられ、連続する溝６１とフェンス５０の交差する角度に応じて、基礎部枠辺１２の他部分とフェンス５０下部の溝６１上方部分との間隔が変わっても、調整支持部３０の調整で各部材の端部をそれぞれ適切に取り付けてこれらを連結させることができる。
【００３６】
また、調整支持部３０は、枠辺１２他部分とフェンス５０下部の溝６１上方部分とに第一の支持用部材３１と第二の支持用部材３２の各端部をそれぞれ取り付けられた状態で、枠辺１２他部分とフェンス５０下部の溝６１上方部分との間の隙間７０を、第一の支持用部材３１と第二の支持用部材３２とがそれぞれ横断して、隙間７０における調整支持部３０以外の各開放部分を、獣や小動物の通り抜けが不可能な大きさにする配置とされる仕組みである。
【００３７】
次に、本実施形態に係る防獣用閉塞装置の配設及び使用状態について説明する。まず、基礎部１０をフェンス５０下部に取り付ける。基礎部１０の枠辺１２を溝６１の連続方向に直交する向きとした場合で、この枠辺１２のうち、最も前記フェンス外領域側に位置する一部分を、フェンス５０下部の溝６１上方部分に取り付ける。
【００３８】
そして、隙間７０を挟んだ、基礎部枠辺１２における前記一部分を除いた他部分と、フェンス５０下部の溝６１上方部分との間隔に合わせて、調整支持部３０における第一の支持用部材３１と第二の支持用部材３２を、その枢着部分を中心として一方を他方に対し揺動させるようにして、調整支持部３０を適切な大きさに調整する。その上で、第一の支持用部材３１の端部を、枠辺１２における前記他部分の所定箇所に取り付け、第二の略板状部材３２を、フェンス５０下部の溝６１上方部分のうち枠辺１２の前記一部分を取り付けていない所定箇所に取り付けると、基礎部１０を確実にフェンス５０下部に連結された状態を得ることができる。
【００３９】
こうして基礎部１０をフェンス５０下部に連結して支持したら、前記第１の実施形態同様、基礎部１０の開口部１１に、閉塞体２０の下部を差し入れて、閉塞体２０を溝６１内に位置させる。この閉塞体２０は、溝６１内で道路９０側を上側、フェンス外領域８０側を下にした傾斜状態で基礎部１０に支持されることとなる。
【００４０】
閉塞装置２を溝６１に配設した使用状態では、前記第１の実施形態同様、道路９０側からの水及び異物の流れに対しては、閉塞体２０が、孔部２１及び切欠き部２２、さらに閉塞体２０外周部と溝６１内面との隙間を通じて、水や異物をフェンス外領域８０側へ通過させられる。
一方、フェンス外領域８０側から道路９０側への獣等の移動に対しては、獣等の通過不可能な閉塞体２０が溝内で動かないことで、閉塞体２０位置より先への獣等の進行を阻止できる。
【００４１】
なお、溝６１の連続方向がフェンス５０に対し斜めに傾いていることで、フェンス５０下部の溝６１上方部分と基礎部枠辺１２との間には隙間７０が生じている。しかしながら、調整支持部３０の第一の支持用部材３１と第二の略板状部材３２が、この隙間７０を横断するようにそれぞれ配置されており、この隙間７０における調整支持部３０以外の開放部分の大きさは、調整支持部３０で獣等の通過できない程度に小さく制限された状態となっている。こうして、溝６１内から獣や小動物がこの開放部分を通り抜けて上方へ達することはなく、フェンス５０と溝６１が斜めに交差している場合でも、溝６１を経由しての獣等の道路側への侵入を確実に防止できる。
【００４２】
このように、本実施形態に係る防獣用閉塞装置においては、基礎部１０をフェンス５０下部に支持させるにあたり、基礎部枠辺１２の一部分をフェンス５０下部の溝６１上方部分に直接取り付けると共に、フェンス５０下部から離れている枠辺１２の他部分を調整支持部３０を介してフェンス５０下部の溝６１上方部分に取り付け、溝６１の連続方向がフェンス５０に対し斜め向きとなっている場合においても、基礎部１０の枠辺１２を溝６１の連続方向に直交する向きとすることから、調整支持部３０を介してフェンス５０下部で基礎部１０を適切に支持しつつ、基礎部１０に挿入配設される閉塞体２０を溝６１内に適切に配置させられ、道路９０側からフェンス外領域８０側への水と異物の通過を許容すると共に、溝６１における獣等の道路９０側への侵入を確実に防止できる。
【００４３】
また、調整支持部３０をなす第一の支持用部材３１と第二の支持用部材３２が、互いに交差しつつ基礎部１０の枠辺１２とフェンス５０下部との間の隙間７０を横断して、この隙間７０における調整支持部３０以外の開放部分を獣等の通過できない程度に小さくする配置とされた状態で、基礎部１０をフェンス５０下部に連結することから、溝６１の連続方向がフェンス５０に対し斜めに傾いて、フェンス５０下部と基礎部枠辺１２との間に隙間７０が生じる場合でも、調整支持部３０の配置でこの隙間７０における開放部分の大きさを適切に制限でき、この開放部分を通じた獣の道路９０側への侵入を阻止できることとなる。
【００４４】
また、前記第２の各実施形態に係る防獣用閉塞装置においては、調整支持部３０をなす第一の支持用部材３１と第二の支持用部材３２が、重ねられて枢着され、互いに交差する位置関係を調整可能として配設される構成としているが、これに限らず、調整支持部をなす二つの支持用部材の一方が他方に対し直線状にスライドする機構など、互いの重なり状態を変化させて調整を行える他の構成とすることもできる。
【符号の説明】
【００４５】
１、２      防獣用閉塞装置
１０        基礎部
１１        開口部
１２        枠辺
２０        閉塞体
２１        孔部
２２        切欠き部
２３        規制部材
３０        調整支持部
３１、３２  支持用部材
５０        フェンス
６０        地面
６１        溝
７０        隙間
８０        フェンス外領域
９０        道路
【図１】
0003190393.tif 000003
【図２】
0003190393.tif 000004
【図３】
0003190393.tif 000005
【図４】
0003190393.tif 000006
【図５】
0003190393.tif 000007
【図６】
0003190393.tif 000008
【図７】
0003190393.tif 000009